(57)【要約】      （修正有）【課題】  従来のおしぼりの問題点を追究し、もっと扱いやすいおしぼり、さらには、もっと効果のあるおしぼりを提供することにある。【解決手段】  本考案は抗菌、殺菌機能を持つナノシルバーを使用したコイン型、固形体おしぼりである。すなわち、ナノシルバーをおしぼりの原料に含有させて一般的に使うおしぼりに使用することで、銀の持つ抗菌・殺菌作用によって、これまでにない抗菌・殺菌機能を持ちながら人体に無害な安全性の高いおしぼりを提供できる。【選択図】図１
0003124542.tif 000002
【実用新案登録請求の範囲】
【請求項１】
水分を与えることでおしぼりの大きさに復元し、おしぼりとして使用することが可能な圧縮成型されたおしぼり。
【請求項２】
コイン型，多角形型，ハート型若しくは星型に圧縮成型された請求項１記載のおしぼり。
【請求項３】
おしぼりの原料にナノ成分を含有させた請求項１又は２記載のおしぼり。
【請求項４】
ナノ成分としてナノシルバーを使用した請求項３記載のおしぼり。
【考案の詳細な説明】
【技術分野】
【０００１】
本考案は、おしぼり（ウェットティッシュを含む。以下に同じ）に関するものであり、詳しくは、圧縮成形されたコンパクトサイズのおしぼりに関するものである。
【背景技術】
【０００２】
飲食店で提供されるおしぼりや、屋外で使用される携帯用のおしぼりのほとんどは、水分を含んだおしぼりを袋体で包んでいる。おしぼりの水分蒸発を防ぎ、また、おしぼりの衛生状態を維持するためである（特許文献１を参照）。
【０００３】
【特許文献１】特開平９−２３４１７０号公報
【考案の開示】
【考案が解決しようとする課題】
【０００４】
ところで、一般的に私たちの生活で幅広く使われるナノ成分の使用は、超微細粒子として構成されたナノパウダーを、ナノ成分を含むとされる合成樹脂、または原料にコーティングする方法でナノ成分を活用している。
しかし、上記のような方法は、ナノ成分が合成樹脂や原料の表面にだけ接触され、良質のナノ成分の機能を期待しにくく、また高価なナノ成分を直接塗布するにあたり、大量のナノ物質を使うため、ナノ成分が含まれた製品を生産するにあたり、経済的負担が大きい。
【０００５】
特に、原料の場合表面に何層も積もったナノ成分が外部の物質によって分離しやすくなるので、ナノ成分を含む原料でナノ成分の効果を期待できない問題点がある。
よって、従来より生産される不織布型おしぼり（ウェットティッシュ）の場合、単純にティッシュに含まれた水で異物を洗浄する機能のみとなる。
【０００６】
本考案は上記のような問題点を追究し、もっと扱いやすいおしぼり、さらには、もっと効果のあるおしぼりの提供を目的とする。
【課題を解決するための手段】
【０００７】
上記目的を達成するために、第１の考案は、水分を与えることでおしぼりの大きさに復元しおしぼりとして使用することが可能な圧縮成型されたおしぼりであることを特徴とする。ここで「おしぼり」とは、手や体を拭いたり、汚れたものを拭くためのものを意味し、ウェットティッシュなども含むものである。
第２の考案は、コイン型，多角形型，ハート型若しくは星型に圧縮成型されたおしぼりであることを特徴とする。ここで「多角形型」には、例えば、３角形〜３６角形の多角型のものなどが挙げられる。
第３の考案は、おしぼりの原料にナノ成分を含有させたおしぼりであることを特徴とする。
第４の考案は、ナノ成分としてナノシルバーを使用したおしぼりであることを特徴とする。ここで「ナノシルバー」とは、銀をナノサイズ（１ナノ＝１０億分の１メートル。髪の毛の約１０万分の１の太さ）に粒子化したものであり、電気分解や化学的分解方法を利用して、ナノ単位の微細な粒子状態である銀溶液（コロイド）を作って使う。なお、銀溶液は銀イオン（Ａｇ＋）がいくつかの固まりで水の中に混ざっている状態を言う。
【考案の効果】
【０００８】
本考案によれば、次のような効果を有する。
（１）使用前のおしぼりの大きさがコイン程度の大きさにコンパクト化され、多くの量を携帯できる事や保管するのに便利な効果がある。また、乾燥しているので、水分の蒸発等を注意する必要がなく品質維持（品質管理）が容易でもある。
（２）圧縮されたおしぼりの形を様々にデザインできるので、使用前のおしぼりの形を楽しむこともできる。
（３）ナノ成分を含むナノ原料で形成されたおしぼりは、使用者がおしぼりを使う時に異物を洗浄する既存のおしぼりの機能とともに、原料に含まれたナノ成分が人体に浸透し、抗菌・殺菌する効果がある。特にナノシルバーの場合、銀の持つ抗菌・殺菌作用によって、これまでにない抗菌・殺菌機能を持ちながら人体に無害な安全性の高いおしぼりを提供できる。
【考案を実施するための最良の形態】
【０００９】
本考案の一例として「ナノシルバーの含有されたコイン型ティッシュ」の製造工程を説明すると、（Ａ）ナノ成分が含まれた原料をウェットティッシュになるように切断する段階、（Ｂ）上記のように切断した原料を円筒状に１次加工する段階、（Ｃ）また円筒状に加工された原料をコイン型フレームに投入して圧縮成形する段階となる。
【００１０】
上記のナノ原料は超純粋物と銀版の電気分解作用で銀成分を含む３ｐｐｍぐらいの水で構成されたナノシルバー（ナノス）に原料を沈積する方法で原料がナノ成分を持つようにすることであり、ナノ成分が含まれた原料を日常的に使用者が便利に使えるように３０ｃｍ×２０ｃｍの大きさで切断するものである。
【００１１】
上記のように切断したナノ原料をコイン型フレームに投入するように、巻き高さ７．５ｃｍ直径２ｃｍの円筒状に１次加工する。１次加工されたナノ原料をコイン型フレームに投入し、プレスで圧縮して水気の排出とともに原料の体積が収縮されて高さ１．５ｃｍ直径２．５ｃｍのコイン（小銭）形態になるように圧縮成形してナノ成分が含まれたコイン型ティッシュを完成する。
【００１２】
図１に示すように、本考案品の使用者は、圧縮されて乾燥した固形体のティッシュ（１０）に少しの水気を注入し、圧縮されたティッシュに含まれる水気によって上記の切断時の大きさに膨張し、開かれるので、使用者は原料を広げて普通のおしぼり（２０）として使うことが可能となる。
【産業上の利用可能性】
【００１３】
本考案は、飲食や外出などの際に便利に利用でき、また、個人でも営業の場（例えば飲食店等）でも利用できる。さらには、手や体を拭く他に、汚れたものを拭くためのものとしても広く使用できる。
【図面の簡単な説明】
【００１４】
【図１】おしぼりの使用方法を示す説明図。
【符号の説明】
【００１５】
１０  圧縮成形されたおしぼり（使用前のおしぼり）
２０  膨張したおしぼり（使用可能なおしぼり）
【図１】
0003124542.tif 000003
【手続補正書】
【提出日】平成18年6月19日(2006.6.19)
【手続補正１】
【補正対象書類名】実用新案登録請求の範囲
【補正対象項目名】全文
【補正方法】変更
【補正の内容】
【実用新案登録請求の範囲】
【請求項１】
水分を与えることでおしぼりの大きさに復元し、おしぼりとして使用することが可能なコイン型，多角形型，ハート型若しくは星型に圧縮成型されたおしぼり。
【請求項２】
コンパクトサイズに圧縮成型された請求項１記載のおしぼり。
【請求項３】
おしぼりの原料にナノ成分を含有させた請求項１又は２記載のおしぼり。
【請求項４】
ナノ成分としてナノシルバーを使用した請求項３記載のおしぼり。
【手続補正２】
【補正対象書類名】明細書
【補正対象項目名】０００７
【補正方法】変更
【補正の内容】
【０００７】
上記目的を達成するために、第１の考案は、水分を与えることでおしぼりの大きさに復元しおしぼりとして使用することが可能なコイン型，多角形型，ハート型若しくは星型に圧縮成型されたおしぼりであることを特徴とする。ここで「おしぼり」とは、手や体を拭いたり、汚れたものを拭くためのものを意味し、ウェットティッシュなども含むものである。「多角形型」には、例えば、３角形〜３６角形の多角型のものなどが挙げられる。
第２の考案は、コンパクトサイズに圧縮成型されたおしぼりであることを特徴とする。
第３の考案は、おしぼりの原料にナノ成分を含有させたおしぼりであることを特徴とする。
第４の考案は、ナノ成分としてナノシルバーを使用したおしぼりであることを特徴とする。ここで「ナノシルバー」とは、銀をナノサイズ（１ナノ＝１０億分の１メートル。髪の毛の約１０万分の１の太さ）に粒子化したものであり、電気分解や化学的分解方法を利用して、ナノ単位の微細な粒子状態である銀溶液（コロイド）を作って使う。なお、銀溶液は銀イオン（Ａｇ＋）がいくつかの固まりで水の中に混ざっている状態を言う。